(57)【要約】【課題】設定情報の変更が容易なプリンターを提供すること。【解決手段】プリンター２は、リーダーライター３５ａと、プリンター本体３に接続され直流電力を出力するＡＣアダプター５０と、を備える。ＡＣアダプター５０にはＲＦタグ５２が設けられ、ＲＦタグ５２には、プリンター２に設定される情報に対応する設定情報ＰＤが保持される。プリンター２の制御部４０は、プリンター２が起動したときに、ＲＦタグ５２から設定情報ＰＤを取得し、自身の設定を行う。プリンター２を交換した際にオペレーターが行うべき作業にかかる時間を低減できる。【選択図】図２
2017185656.tif 000002
【特許請求の範囲】
【請求項１】
筐体と、
商用電源から電力が供給される電力供給部と、
前記筐体に設けられ、前記電力供給部が接続される電源コネクターと、
前記筐体に設けられ、近接無線通信を行う近接無線通信部と、
プリンターに係る情報であるプリンター情報を保持するメモリーモジュールと、
ホスト装置と通信する通信部と、
前記通信部を介して前記ホスト装置から印刷データを取得し、所定の記憶領域に保持される設定情報に基づき当該印刷データの印刷を実行させる制御部と、を備え、
前記メモリーモジュールは前記電力供給部に設けられ、
前記制御部は、前記近接無線通信部を制御して前記メモリーモジュールと前記メモリーモジュールから前記プリンター情報を取得し、取得した前記プリンター情報に基づき前記所定の記憶領域に保持される前記設定情報を変更することを特徴とするプリンター。
【請求項２】
前記通信部はＬＡＮケーブルが接続されるＬＡＮコネクターを有し、
前記設定情報はＩＰアドレスを含むことを特徴とする請求項１に記載のプリンター。
【請求項３】
前記電力供給部はＡＣアダプターを有し、
前記ＡＣアダプターは前記メモリーモジュールを有することを特徴とする請求項１又は２に記載のプリンター。
【請求項４】
前記電力供給部は前記ＡＣアダプターと前記電源コネクターとを接続する電源ケーブルを有し、
前記ＡＣアダプターが収納され、前記電源コネクターを覆う収納部を備えることを特徴とする請求項３に記載のプリンター。
【請求項５】
前記電力供給部は前記電源コネクターに接続される電源ケーブルを有し、
前記電源ケーブルのうち、前記電源コネクターに接続されるコネクター部に前記メモリーモジュールが設けられることを特徴とする請求項１又は２に記載のプリンター。
【請求項６】
電源スイッチを備え、
前記制御部は、前記電源スイッチが操作されプリンターが起動したときに、前記メモリーモジュールから前記プリンター情報を取得することを特徴とする請求項１乃至５のいずれか一項に記載のプリンター。
【請求項７】
電源コネクターと、前記電源コネクターに接続され電力を供給する電力供給部と、ホスト装置と通信する通信部と、を備え、所定の記憶領域に保持される設定情報に基づき、前記通信部を介して前記ホスト装置から取得される印刷データを印刷するプリンターの制御方法であって、
前記電力供給部に設けられるメモリーモジュールが保持するプリンター情報を取得するステップと、
取得した前記プリンター情報に基づき、前記所定の記憶領域に保持される前記設定情報を変更するステップと、を実行することを特徴とするプリンターの制御方法。
【請求項８】
前記プリンターが起動したときに前記メモリーモジュールから前記プリンター情報を取得するステップを実行することを特徴とする請求項７に記載のプリンターの制御方法。
【発明の詳細な説明】
【技術分野】
【０００１】
本発明は、プリンター、及びプリンターの制御方法に関し、特に、専門家以外の者であっても、プリンターが印刷の際に参照するプリンター情報（例えば、ＩＰアドレス、印刷条件）を、プリンターに迅速かつ適切に設定できるプリンター、及びプリンターの制御方法に関する。
【背景技術】
【０００２】
従来、ネットワークに接続し、当該ネットワークを介してホスト装置から印刷指令を受信して印刷するネットワーク対応のプリンターが知られている。このようなプリンターは、例えばＰＯＳシステムのように複数のホスト装置と複数のプリンターとを有するネットワークシステムに用いられる。ホスト装置はネットワークアドレス（例えば、ＩＰアドレス）により特定されるプリンターに印刷指令を送信し、印刷を実行させる。
【０００３】
上記システムにおいては、故障したプリンターが、他のプリンターに交換される場合がある。ホスト装置には、印刷指令の送信先としてプリンターのネットワークアドレスが登録されている。このような場合に、ホスト装置に登録されている情報を書き換える方法が考えられるが、ＰＯＳシステムにおける会計処理のように、ホスト装置で行われる他の処理が中断され、システム全体の業務効率が低下する恐れがある。また、図１に記載のシステムのように複数のプリンターが接続される場合に、変更すべきネットワークアドレスを特定することが困難である。したがって、これらの課題に対応するには、プリンターを交換する場合には、交換後のプリンターのネットワークアドレスを、交換前のプリンターのネットワークアドレス、すなわち、ホスト装置に登録されているネットワークアドレスに変更することが有効である。
【０００４】
しかしながら、プリンター情報を交換後のプリンターに設定するためには、専門の知識や、設定用のＰＣが必要である。特にＰＯＳシステムのようなネットワークシステムに導入されるプリンターは、設置場所から、そのインターフェイスが制限されている場合が多く、プリンター自体を操作してプリンターの設定情報を迅速かつ適切に設定することは困難である。
【０００５】
これに対して、従来、プリンターの交換に際して、ＵＳＢメモリー等の外部メモリーからプリンター情報を読み取り、当該読み取ったプリンター情報を交換後のプリンターに設定することが提案されている（例えば、特許文献１参照）。 
【先行技術文献】
【特許文献】
【０００６】
【特許文献１】特開２０１１−１６４８７２号公報
【発明の概要】
【発明が解決しようとする課題】
【０００７】
特許文献１において、プリンターを交換する際に、オペレーターはプリンターの交換に伴う作業として、交換前のプリンターと同様に新たなプリンターを配置し、配置したプリンターのＵＳＢコネクターに外部メモリー（ＵＳＢメモリー）を挿入する。
【０００８】
しかしながら、上記文献においては、オペレーターが上記作業を正しい手順で行い、設定情報が変更されたプリンターと、上記作業が行われておらず設定情報が変更されていないプリンターとでは、外見上オペレーターが区別することができない。すなわち、上記文献において外部メモリーが挿入されるＵＳＢコネクターは、プリンターと他の機器（例としてバーコードリーダー）との接続に使用される、もしくは使用される可能性がある。そのため、オペレーターは上記作業を完了した後に、他の機器をプリンターに接続するために、もしくは接続することを見越して、外部メモリーをＵＳＢコネクターから取り外す。したがって、オペレーターにとって、プリンターが、設定情報が変更されたものか否かを判断することは困難であり、オペレーターが、設定情報を変更しないままプリンターを使用する恐れや、設定情報が変更済みにもかかわらず何度もプリンターの設定情報を変更する作業を行う恐れがある。いずれも、オペレーターの作業を増大させる。
【０００９】
また、特許文献１においては、外部メモリーにプリンターの設定情報が保持されるが、外部メモリーと外部メモリーに保持される設定情報とを対応付ける管理が必要となる。すなわち、オペレーターは、プリンターの設定情報を変更する際に、当該プリンターの設置場所に対応する設定情報を保持する外部メモリーを、プリンターに挿入する。オペレーターは、外部メモリーに保持される設定情報が、いずれの設置場所に対応する設定情報か把握する必要があり、外部メモリーの管理が煩雑になる恐れがある。
【００１０】
本発明は、上記事情に鑑みてなされたものであり、プリンターの交換や新規導入に際し、プリンターが保持する設定情報を迅速かつ適切に変更できるプリンター、及びプリンターの制御方法を提供することを目的とする。
【課題を解決するための手段】
【００１１】
上記目的を達成するために、本発明のプリンターは、筐体と、商用電源から電力が供給される電力供給部と、前記筐体に設けられ、前記電力供給部が接続される電源コネクターと、前記筐体に設けられ、近接無線通信を行う近接無線通信部と、プリンターに係る情報であるプリンター情報を保持するメモリーモジュールと、ホスト装置と通信する通信部と、前記通信部を介して前記ホスト装置から印刷データを取得し、所定の記憶領域に保持される設定情報に基づき当該印刷データの印刷を実行させる制御部と、を備え、前記メモリーモジュールは前記電力供給部に設けられ、前記制御部は、前記近接無線通信部を制御して前記メモリーモジュールと前記メモリーモジュールから前記プリンター情報を取得し、取得した前記プリンター情報に基づき前記所定の記憶領域に保持される前記設定情報を変更する。
【００１２】
プリンターが起動されるためには筐体に電力が供給されていることが必要であり、オペレーターは、プリンターを起動する際に、電源コネクターに電力供給部を接続する作業を行う。上記適用例の構成によれば、上記作業により筐体に接続される電力供給部のメモリーモジュールに保持されるプリンター情報に基づき、設定情報が変更される。すなわち、オペレーターが行うプリンターを起動する際に必要とされる作業に伴って、プリンターはメモリーモジュールからプリンターに係る情報を取得し、自己の設定情報を変更する制御を行う。したがって、プリンターを起動した際には、設定情報を変更する制御を行う条件が成立しており、オペレーターの作業ミス等により設定情報が変更されない可能性を低減できる。
【００１３】
上記適用例において、前記通信部はＬＡＮケーブルが接続されるＬＡＮコネクターを有し、前記設定情報はＩＰアドレスを含む。プリンターに保持されるＩＰアドレスは、ＬＡＮを介した接続に用いられる。したがって、オペレーターは、メモリーモジュールをプリンターの近傍に配置することでプリンターのＩＰアドレスを容易に変更して、ホスト装置に登録されている情報を変更せずに、ホスト装置とプリンターとをＬＡＮを介して接続できる。
【００１４】
上記適用例において、前記電力供給部はＡＣアダプターを有し、前記ＡＣアダプターは前記メモリーモジュールを有する。ＡＣアダプターは配置の自由度が高く、筐体の近接無線通信部とメモリーモジュールとの位置関係を、当該近接無線通信が安定する位置関係にすることができる。したがって、設定情報の変更処理の安定性が高まる。
【００１５】
上記適用例において、前記電力供給部は前記ＡＣアダプターと前記電源コネクターとを接続する電源ケーブルを有し、前記ＡＣアダプターが収納され、前記電源コネクターを覆う収納部を備える。収納部に収納されるＡＣアダプターは、近接無線通信部に対して所定の位置に配置される。したがって、オペレーターは容易に、近接無線通信が安定する位置にＡＣアダプターを配置できる。
【００１６】
上記適用例において、前記電力供給部は前記電源コネクターに接続される電源ケーブルを有し、前記電源ケーブルのうち、前記電源コネクターに接続されるコネクター部に前記メモリーモジュールが設けられる。プリンターが起動されるとき、コネクター部は電源コネクターに接続されており、コネクター部と近接無線通信部との距離は、一定の距離に保たれる。したがって、オペレーターがどのように筐体及び電力供給部を配置するに関わらず、メモリーモジュールと近接無線通信部との距離が一定に保たれ、近接無線通信が安定する。
【００１７】
上記適用例において、電源スイッチを備え、前記制御部は、前記電源スイッチが操作されプリンターが起動したときに、前記メモリーモジュールから前記プリンター情報を取得する。オペレーターは、プリンターを使用する際に、プリンターを起動する操作として電源スイッチを操作する。この操作によりプリンターの設定情報が書き換えられる。したがって、プリンター使用時に行われる簡易な操作で、プリンターの設定情報が変更されるため、プリンターの設定情報を変更するための追加的なオペレーターの作業が減少する。
【００１８】
次に、本発明のプリンターの制御方法は、電源コネクターと、前記電源コネクターに接続され電力を供給する電力供給部と、ホスト装置と通信する通信部と、を備え、所定の記憶領域に保持される設定情報に基づき、前記通信部を介して前記ホスト装置から取得される印刷データを印刷するプリンターの制御方法であって、前記電力供給部に設けられるメモリーモジュールが保持するプリンター情報を取得するステップと、取得した前記プリンター情報に基づき、前記所定の記憶領域に保持される前記設定情報を変更するステップと、を実行することを特徴とする。
【００１９】
上記適用例の構成によれば、電力供給部のメモリーモジュールに保持されるプリンター情報に基づき、設定情報が変更される。オペレーターによる電源コネクターに電力供給部を接続する作業は、プリンターを起動する際に必要とされる作業であり、プリンターを起動して使用するオペレーターの作業ミスによりプリンターの設定情報の変更がなされない可能性を低減できる。
【００２０】
上記適用例において、前記プリンターが起動したときに前記メモリーモジュールから前記プリンター情報を取得するステップを実行する。オペレーターはプリンターを使用する際にプリンターを操作して起動し、このとき、プリンターの設定情報が書き換えられる。したがって、プリンター使用時に行われる簡易な操作でプリンターの設定情報が変更されるため、プリンターの設定情報を変更するための追加的なオペレーターの作業が減少する。
【図面の簡単な説明】
【００２１】
【図１】本発明のプリンターが適用されるＰＯＳシステムのシステム構成の一例を示す図。
【図２】本発明に係るプリンターの構成の一例を示す斜視図。
【図３】プリンターの構成の一例を示す構成概略図。
【図４】ＲＦタグの構成の一例を示すブロック図。
【図５】プリンターの機能構成の一例を示すブロック図。
【図６】プリンターの制御方法の一例を示すフローチャート。
【図７】プリンターの記憶部に保持された設定情報を、メモリーモジュールに書き込む処理の一例を示すフローチャート。
【発明を実施するための形態】
【００２２】
以下、本発明の実施形態について添付図面を参照しながら説明する。各図において対応する構成要素には同一の符号が付され、重複する説明は省略される。
【００２３】
まず、本発明のプリンターの実施形態の概要について説明する。
【００２４】
（第１実施形態）
図１は、本発明のプリンターが適用されるＰＯＳシステム（ネットワークシステム）１のシステム構成の一例を示す図である。
【００２５】
図１に示すように、ＰＯＳシステム１は、店舗等に導入されるシステムであり、ホスト装置１００及びプリンター２を備える。ホスト装置１００及びプリンター２はネットワークＮＷを介して通信する。ホスト装置１００及びプリンター２は店舗等の各レーン（第１−第ｎレーン）に設置される。
【００２６】
ホスト装置１００は、オペレーターにより操作される装置であり、図示しないが、ハード構成として、ＣＰＵ、これにバスを介して接続された、ＲＡＭ、ＲＯＭ、ＨＤＤ、各種Ｉ／Ｆ（インターフェイス）等を備える。また、ホスト装置１００には、図示しないが、Ｉ／Ｆを介して、バーコードを読み取るバーコードリーダー、顧客からの預り金等を入力するキーボード、商品名や価格等が表示されるディスプレイ等が接続される。
【００２７】
また、ホスト装置１００は、機能構成として、印刷データを生成する機能、及びネットワークＮＷを介して印刷データをプリンター２へ送信する機能を備える。
【００２８】
プリンター２は、例えば、印刷媒体であるロール状の記録紙に対して感熱方式のサーマルヘッドにより印刷を行うものであり、例えば、ＰＯＳシステム１に用いられるレシートプリンターが挙げられる。本実施形態におけるプリンター２は、ネットワークＮＷに接続されホスト装置１００との通信を行う。プリンター２は、ネットワークＮＷを介して、ホスト装置１００から生成された印刷データを含む印刷指令を受信し、印刷データに基づく印刷を実行する。
【００２９】
図２は本発明に係るプリンター２の構成の一例を示す斜視図であり、図３は本発明に係るプリンター２の構成の一例を示す構成概略図である。図２、及び図３に示すように、プリンター２は、印刷機構３６を含むプリンター本体（筐体）３と、プリンター本体３の鉛直方向における下側に設けられるプリンター下部ユニット４と、を備える。
【００３０】
図２に示すようにプリンター本体３は、合成樹脂等からなるケースを有し、ケースに設けられる開口部から印刷媒体が収容される。プリンター本体３の外表面には、電源スイッチ３１と、通知部３２とが設けられる。オペレーターは、電源スイッチ３１を操作して、プリンター２を起動状態と休止状態とに切り替える。また、通知部３２は、プリンター本体３の上側の面に設けられる。オペレーターは通知部３２を視認して、プリンター２の状態を把握する。
【００３１】
図２に示すようにプリンター下部ユニット４は、電力供給部５と、電力供給部５が収納される収納ケース（収納部）６とを備える。電力供給部５はプリンター本体３の電源コネクター３３（図３参照）に接続される。プリンター本体３に供給される電力は、不図示の商用電源から電力供給部５に供給され、電力供給部５からプリンター本体３に供給される。
【００３２】
収納ケース６は鉛直方向における上方が開口する形状であり、プリンター本体３の下側面と係合する係合部を有する。ＰＯＳシステム１では、オペレーターが作業するスペースを確保するために、ホスト装置１００やプリンター２の設置面積が限定される。オペレーターは、プリンター本体３の下方に位置する収納ケース６に電力供給部５を収納して、作業スペースを確保できる。また、収納ケース６がプリンター本体３に係合された状態において、プリンター本体３の電源コネクター３３は収納ケース６に覆われ、外部からの異物混入など電源コネクター３３に及ぼされる影響を軽減できる。
【００３３】
電力供給部５は、ＡＣアダプター５０と、ＡＣアダプター５０と電源コネクター３３との間に接続される電源ケーブル５１とを、備える。ＡＣアダプター５０は、交流電源から供給される交流電力を直流に変換し、プリンター本体３に直流電力を出力する。また、ＡＣアダプター５０には、ＲＦタグ（メモリーモジュール）５２が設けられる。詳細は後述するが、ＲＦタグ５２には、プリンター２毎に固有の、もしくはプリンター２が設置される場所（レーン）毎に固有の、情報が保持される。電源ケーブル５１は、電源コネクター３３に係合する形状を有するコネクター部５３を含む。オペレーターはコネクター部５３を電源コネクター３３に係合させ、これにより電力供給部５はプリンター本体３に接続される。
【００３４】
図３を用いてプリンター本体３の詳細を説明する。図３に示すようにプリンター本体３は、電源コネクター３３、ＬＡＮコネクター３４、基板３５、及び印刷機構３６を備える。電源コネクター３３は、上述の通り、電力供給部５の電源ケーブル５１が接続されるコネクターである。ＬＡＮコネクター３４はＬＡＮケーブルが接続されるコネクターであり、ＬＡＮケーブルを介してプリンター２はネットワークＮＷに接続される。
【００３５】
基板３５、及び印刷機構３６は、ケースの内部空間に収容される。基板３５には、ＣＰＵや不揮発メモリーが実装され、基板３５を含む構成によって後述の制御部４０（図５参照）が実現される。また、基板３５にはリーダーライター（近接無線通信部）３５ａが搭載される。リーダーライター３５ａはＡＣアダプター５０に設けられるＲＦタグ５２と近接無線通信を行う。リーダーライター３５ａはＲＦタグ５２に保持される情報を読み出し、また、情報をＲＦタグ５２に送信し、ＲＦタグ５２の設定情報記憶領域５２ａ（図４参照）に保持させる。
【００３６】
印刷機構３６は、印刷ヘッド、用紙送り機構、用紙切断機構等（いずれも図示せず）を備える。印刷機構３６は、ホスト装置１００からプリンター２に送信される印刷指令に基づき、レシート（印刷物）を出力する。
【００３７】
図４は、ＲＦタグ５２の構成の一例を示すブロック図である。図４に示すようにＲＦタグ５２は、プリンター２に係る設定情報（プリンター情報）ＰＤが保持される設定情報記憶領域５２ａと、プリンター２が設置される場所を示す情報が保持される設置場所情報記憶領域５２ｂと、を備える。
【００３８】
設定情報記憶領域５２ａには、設定情報ＰＤとして、プリンター２とホスト装置１００との接続に使用されるネットワーク設定情報ＰＤ１と、プリンター２のレシートの態様や印刷制御の詳細を示す印刷設定情報ＰＤ２と、が保持される。
【００３９】
ネットワーク設定情報ＰＤ１は、プリンター２に割り当てられる固有のＩＰアドレスである。ホスト装置１００は、印刷データの送信先を示す情報として保持するＩＰアドレスを参照し、ネットワークＮＷに含まれ、かつ当該ＩＰアドレスにより特定されるプリンター２に印刷データを送信する。
【００４０】
印刷設定情報ＰＤ２は、プリンター２で使用される用紙の紙幅、印字濃度、印字速度、印刷に使用されるフォントの種類、及び印刷物に含まれる余白の情報を有する。印刷設定情報ＰＤ２に含まれる項目に係る情報は、プリンター２の所定の記憶領域に保持され、レシートを出力する際に制御部４０によって参照される。
【００４１】
設置場所情報記憶領域５２ｂには、プリンター２の設置場所を示す情報としてレーン情報が保持される。レーン情報は、プリンター２が設置されるレーンに割り当てられる固有の識別情報である。オペレーターは、ＲＦタグ５２との無線通信が可能な不図示の携帯端末を用いて、レーン情報を参照できる。プリンター下部ユニット４が設置される場所が変更される場合に、オペレーターは、ＲＦタグ５２が保持するレーン情報に基づきプリンター下部ユニット４が設置されるべき場所を把握することができ、設置場所の誤りが低減される。
【００４２】
図５は、ＰＯＳシステム１を構成するプリンター２の機能構成の一例を示すブロック図である。図５に示すように、プリンター２は機能構成として、制御部４０と、記憶部４７と、を備える。これらの機能構成は、プリンター２に保持されるファームウェア等の所定のプログラムが実行されることによって実現される。制御部４０は、ホスト装置１００から受信する情報、ＲＦタグ５２から取得する情報、及び記憶部４７に保持される情報に基づき、プリンター２の各部を制御する。また、記憶部４７は、ＲＯＭ、ＲＡＭ等で構成され、所定の情報、及び制御部４０により実行される制御プログラムを保持する。
【００４３】
制御部４０は、その機能構成として印刷制御部４１と、プリンター設定部４２と、を備える。
【００４４】
印刷制御部４１は、印刷機構３６を制御してレシートの出力を制御する。ホスト装置１００からＬＡＮコネクター３４を介して印刷指令が受信されると、印刷制御部４１は記憶部４７に保持される印刷設定情報ＰＤ２に係る情報を参照する。印刷制御部４１は、参照した情報と受信した印刷指令とに基づき、印刷機構３６に制御コマンドを送り、印刷を実行させる。
【００４５】
プリンター設定部４２は、プリンター２の設定に係る制御を行う。本実施形態におけるプリンター２の設定には、プリンター２で使用される用紙の紙幅、印字濃度、印字速度、印刷に使用されるフォントの種類、及び印刷物に含まれる余白など、プリンター２により実行される印刷に係る印刷設定と、ホスト装置１００との通信に使用される通信設定（例としてプリンター２に固有のＩＰアドレス）と、が含まれる。プリンター設定部４２は、その機能構成として、タグ情報読出部４３、設定更新部４４、設定書込部４５、及び設定変更検出部４６を備える。
【００４６】
タグ情報読出部４３はＲＦタグ５２に保持される情報を取得する制御を行う。より具体的には、タグ情報読出部４３は、リーダーライター３５ａを制御してＲＦタグ５２と通信して、ＲＦタグ５２に保持されるネットワーク設定情報ＰＤ１及び印刷設定情報ＰＤ２を受信する。
【００４７】
設定更新部４４は、タグ情報読出部４３により取得された情報を設定情報として、記憶部４７に保持させる制御を行う。記憶部４７にはプリンター２の設定に係る情報が保持されており、設定更新部４４は、タグ情報読出部４３により取得される情報に基づき、記憶部４７が保持する情報を変更する更新処理を行う。タグ情報読出部４３により取得される情報と記憶部４７に既に保持される情報とが同一である場合には、記憶部４７に保持される情報を変更せずに更新処理を完了してもよい。また、更新処理は、記憶部４７の領域毎に、取得した情報と記憶部４７に保持される情報とを比較し、異なる場合に記憶部４７に保持される情報を変更する処理であっても良い。
【００４８】
設定書込部４５は、プリンター本体３に保持される情報をＲＦタグ５２の記憶領域に書き込む制御を行う。より具体的には、設定書込部４５は、記憶部４７が保持する情報を読み出し、リーダーライター３５ａを制御して記憶部４７から読み出した情報をＲＦタグ５２に送信し、当該情報を新たなネットワーク設定情報ＰＤ１及び印刷設定情報ＰＤ２として、ＲＦタグ５２の記憶領域に保持させる。
【００４９】
設定変更検出部４６は、プリンター２に保持される設定が変更されたか否かを検出する。ホスト装置１００から送信される情報に、記憶部４７に保持される設定情報を変更するコマンドが含まれる場合に、設定が変更されたと判定する。プリンター２に保持される設定が変更されたか否かを検出する方法は、上記に限られず、例えば、所定の周期で記憶部４７に保持される設定情報をＲＡＭの所定の記憶領域に保持させ、記憶部４７に保持される設定情報と、当該ＲＡＭに保持される設定情報とを比較する方法で行われても良い。この場合、コマンドの有無に関わらず、保持される設定が変更されたことが検出される。
【００５０】
次に、本実施形態のプリンターの制御方法について図６を参照しながら説明する。
【００５１】
図６は、本実施形態のプリンター２の制御方法（プリンター制御方法）の一例を説明するフローチャートである。
【００５２】
以下、図１に示すＰＯＳシステム１において、特定のレーン（例えば、第１のレーン）に設置されたプリンター２の、プリンター本体３に係る構成または機能が故障した場合に行われる交換作業を例にして説明する。当該交換作業によって、故障した構成または機能を有するプリンター本体３は、正常に動作する別のプリンター本体３に交換される。
【００５３】
図６に示す処理は、例えば、プリンター本体３が交換された後のプリンター２において実行される処理である。交換後のプリンター本体３が備える制御部４０が、図６に示す処理を実行する。
【００５４】
なお、以下の説明においては、ＲＦタグ５２には、設定情報ＰＤとして、交換前のプリンター２に割り当てられたＩＰアドレスであるネットワーク設定情報ＰＤ１及び印刷設定情報ＰＤ２が保持されているものとする。ＲＦタグ５２に保持されているネットワーク設定情報ＰＤ１は、交換前のプリンター２の記憶部４７に保持される情報に対応する。また、ＲＦタグ５２に保持されている印刷設定情報ＰＤ２は、交換前のプリンター２の設定書込部４５により書き込まれた情報であり、交換前のプリンター２の記憶部４７に保持される情報に対応する。設定書込部４５による処理は後述する。
【００５５】
特定のレーン（例えば、第１のレーン）に設置されたプリンター２が故障した場合、図６に示す処理に先立ち、オペレーターは、次の手順で、プリンター本体３を交換する。
【００５６】
まず、オペレーターは、交換前のプリンター本体３と同様に交換後のプリンター本体３を設置する。具体的には、オペレーターは、交換前のプリンター本体３の電源コネクター３３及びＬＡＮコネクター３４から、電源ケーブル５１及びＬＡＮケーブルを取り外し、プリンター本体３とプリンター下部ユニット４との係合を解除する。次に、オペレーターは交換後のプリンター本体３の電源コネクター３３及びＬＡＮコネクター３４に、交換前のプリンター本体３から取り外した電源ケーブル５１及びＬＡＮケーブルを接続する。また、オペレーターはプリンター本体３をプリンター下部ユニット４に係合させる。そして、オペレーターは交換後のプリンター本体３の電源スイッチ３１を操作して、プリンター２を起動する。以上がプリンター本体３を交換する際に、オペレーターが行う作業の手順である。
【００５７】
交換後のプリンター２の制御部４０は、電源スイッチ３１が操作され、プリンター２が起動したか否かを監視する（ステップＳ１０）。電源スイッチ３１が操作され、プリンター２が起動すると（ステップＳ１０：Ｙｅｓ）、タグ情報読出部４３は、リーダーライター３５ａを制御して、ＲＦタグ５２にアクセスして（ステップＳ１２）、ＲＦタグ５２に保持される設定情報ＰＤを読み出す（ステップＳ１４）。ＲＦタグ５２には、設定情報ＰＤとして、ネットワーク設定情報ＰＤ１及び印刷設定情報ＰＤ２が保持されているため、タグ情報読出部４３は、当該ネットワーク設定情報ＰＤ１及び印刷設定情報ＰＤ２をＲＦタグ５２から読み出す。なお、ネットワーク設定情報ＰＤ１及び印刷設定情報ＰＤ２の一方が読み出されるように設定されている場合、当該設定に基づき、ネットワーク設定情報ＰＤ１及び印刷設定情報ＰＤ２の一方が読み出される。
【００５８】
上述のように、タグ情報読出部４３は、プリンター２が起動するタイミングで、ＲＦタグ５２から設定情報ＰＤを読み出す。すなわち、電源スイッチ３１が操作されてプリンターが起動されるときに自動的に、設定情報ＰＤ（例えば、ネットワーク設定情報ＰＤ１、印刷設定情報ＰＤ２）をＲＦタグ５２から読み出すことができる。
【００５９】
また、本実施形態のプリンター２は、電力供給部５にＲＦタグ５２が設けられる。すなわち、プリンター２が起動するタイミングでは、プリンター本体３に電力供給部５が接続されており、プリンター本体３のリーダーライター３５ａに対してリーダーライター３５ａとの近接無線通信が可能な範囲内にＲＦタグ５２が位置する。したがって、設定情報ＰＤをＲＦタグ５２から安定的に読み出すことができる。
【００６０】
次に、交換後のプリンター２の制御部４０は、ステップＳ１４で読み出した設定情報に基づき、プリンター２の設定を行う。具体的には、設定更新部４４が、タグ情報読出部４３により読み出された設定情報ＰＤに基づき、記憶部４７にプリンター２の設定として保持される情報を変更する（ステップＳ１６）。
【００６１】
以上のようにして、ネットワーク設定情報ＰＤ１及び印刷設定情報ＰＤ２としてＲＦタグ５２に保持される交換前のプリンター２の設定が、交換後のプリンター２の記憶部４７に迅速かつ適切に設定（承継）される。本実施形態のＰＯＳシステム１において、ホスト装置１００は、ＩＰアドレスにより特定されるプリンター２との通信を行い、当該ＩＰアドレスにより特定されるプリンター２に印刷指令を送信する。したがって、以後、交換後のプリンター２は、ステップＳ１６において設定されたＩＰアドレスに基づいてホスト装置１００から送信される情報を、ネットワークＮＷを介して受信する。
【００６２】
次に、交換後のプリンター２の制御部４０は、ネットワークＮＷを介して印刷データを受信したか否かを監視する（ステップＳ２０）。ホスト装置１００から印刷データを含む印刷指令が受信された場合（ステップＳ２０：Ｙｅｓ）、制御部４０は受信した印刷データの印刷を行う。より詳細には、印刷制御部４１は、ステップＳ１４で読み出された印刷設定情報ＰＤ２に基づいてステップＳ１６で変更され、記憶部４７に印刷設定として保持される情報を参照し、参照した情報に基づいて印刷機構３６を制御して印刷を行う。
【００６３】
以上のようにして、交換後のプリンター２は、交換前のプリンター２と同様の印刷設定が適用されたレシートを、交換前のプリンター２と同様に出力する。
【００６４】
図７は、交換前のプリンター２の記憶部４７に保持された設定情報を、ＲＦタグ５２に書き込む処理の一例を示すフローチャートである。なお、このフローチャートにおいては、記憶部４７に保持される印刷設定に係る情報が、印刷設定情報ＰＤ２として、ＲＦタグ５２に書き込まれる例を示す。
【００６５】
図７に示す処理は、例えば、交換前のプリンター２において実行される処理で、主に、交換前のプリンター２の制御部４０が、ファームウェア等の所定プログラムを実行することによって実現する。
【００６６】
まず、交換前のプリンター２の制御部４０は、設定された印刷設定が変更されたか否かを判定する（ステップＳ３０）。より具体的には、設定変更検出部４６が、ホスト装置１００から、記憶部４７に保持される印刷設定を変更するコマンドが受信されたか否かを監視する。
【００６７】
設定変更検出部４６がプリンター２の記憶部４７に保持される印刷設定に係る情報の少なくとも一部が変更されたと判定した場合（ステップＳ３０：Ｙｅｓ）、設定書込部４５は、記憶部４７に保持される情報をＲＦタグ５２に送信し、印刷設定情報ＰＤ２として設定情報記憶領域５２ａに保持させる（ステップＳ３２）。
【００６８】
以上のようにして、交換前のプリンター２の記憶部４７に保持される印刷設定は、当該少なくとも一部が変更されるごとに、ＲＦタグ５２に書き込まれ、設定情報記憶領域５２ａに保持される情報は、プリンター２に設定される最新の印刷設定に上書きされる。なお、交換前のプリンター２の記憶部４７に保持されるＩＰアドレスも、当該ＩＰアドレスが変更されるごとに、最新のネットワーク設定情報ＰＤ１として、ＲＦタグ５２に書き込まれる。
【００６９】
以上説明したとおり、本実施形態のプリンター２は、電源コネクター３３に接続される電力供給部５のＲＦタグ５２に保持される設定情報ＰＤに基づき、自身が保持する設定情報を変更する。オペレーターは、プリンター２を起動するために、電源コネクター３３に電力供給部５を接続する。すなわち、プリンター２を使用するオペレーターが、行うべき作業によりプリンター２が保持する設定情報が適切に変更され、プリンター２の設定情報の変更がなされない可能性を低減できる。
【００７０】
したがって、専門家以外の者であっても、交換前のプリンター２で設定されていた、印刷に係る印刷設定や、ホスト装置との通信に係る通信設定に基づき、交換後のプリンター２の印刷設定及び通信設定を迅速かつ適切に設定できる。
【００７１】
また、本実施形態のプリンター２によれば、オペレーターは、交換後のプリンター２のＩＰアドレスを容易に変更でき、ホスト装置１００に登録されている情報を変更せずに、ホスト装置１００とプリンター２とを接続できる。
【００７２】
また、本実施形態のプリンター２は、ＡＣアダプター５０にＲＦタグ５２が設けられる。ＡＣアダプター５０は、配置の自由度が高く、ＲＦタグ５２から設定情報ＰＤを読み出すリーダーライター３５ａと、ＲＦタグ５２との位置関係を、両者間の近接無線通信が安定する位置関係にすることができる。これにより、プリンター２の設定情報を変更する処理の安定性が高まる。
【００７３】
また、本実施形態のプリンター２は、ＡＣアダプター５０が収納される収納ケース６を備える。ＡＣアダプター５０は、リーダーライター３５ａに対して収納ケース６により規定される位置に配置される。したがって、オペレーターは容易に、近接無線通信が安定する位置にＡＣアダプター５０を配置できる。
【００７４】
また、本実施形態のプリンター２は、電源スイッチ３１が操作されプリンター２が起動されるときにプリンター２の記憶部４７に保持される設定情報を変更する処理が行われる。オペレーターはプリンター２を起動する作業で、プリンター２の設定情報を変更できる。プリンター２を起動する作業は、プリンターを使用する際に通常行われる簡易な操作であり、オペレーターの作業負荷を増大せずにプリンターの設定情報が変更される。
【００７５】
（変形例１）
上記実施形態においてＲＦタグ５２は、ＡＣアダプター５０に設けられるが、電源ケーブル５１のコネクター部５３に設けられてもよい。この場合、ＲＦタグ５２が設けられるコネクター部５３は電源コネクター３３に係合するため、コネクター部５３と、リーダーライター３５ａとの距離が一定に保たれる。したがって、プリンター２の設置状況に関わらず、ＲＦタグ５２とリーダーライター３５ａとの距離は一定であり、両者間の近接無線通信が安定する。
【００７６】
（変形例２）
また、上記実施形態のステップＳ１４において、ＲＦタグ５２から設定情報ＰＤが正常に読み出されなかった場合に、プリンター２はエラー処理を行っても良い。制御部４０はエラー処理として、通知部３２を制御してオペレーターに、設定情報ＰＤに基づく設定更新が正常に行われていない旨を通知する。オペレーターに対して、プリンター２を起動し直す作業を促すことが出来る。
【００７７】
（変形例３）
また、上記実施形態のステップＳ１４において、ＲＦタグ５２から設定情報ＰＤが正常に読み出されなかった場合に、プリンター２は、自身が保持するＩＰアドレスをダミー情報に変更しても良い。ＲＦタグ５２から情報が読み出されない状況は、交換後のプリンター２とＲＦタグ５２との通信に失敗した状況のほか、交換前のプリンター２のプリンター本体３が、プリンター下部ユニット４が配置されていない場所に設置されるケースが考えられる。このような場合に、交換後のプリンター２のＩＰアドレスの変更が行われ、交換前のプリンター２がネットワークＮＷに接続されると、ネットワークＮＷ内に同一のＩＰアドレスを有する機器が複数存在してしまい、交換後のプリンター２とホスト装置１００との接続に影響を来たす恐れがある。本変形例は、このような事態が生じる可能性を低減する。
【００７８】
上記実施形態では、図１に示すＰＯＳシステム１において、故障した特定のレーン（例えば、第１のレーン）に設置されたプリンター２を交換する場合の、交換後のプリンター２に適用した例について説明したが、これに限らない。
【符号の説明】
【００７９】
１…ＰＯＳシステム、２…プリンター、３…プリンター本体、４…プリンター下部ユニット、５…電力供給部、６…収納ケース、３１…電源スイッチ、３２…通知部、３３…電源コネクター、３４…ＬＡＮコネクター、３５…基板、３５ａ…リーダーライター、３６…印刷機構、４０…制御部、４１…印刷制御部、４２…プリンター設定部、４３…タグ情報読出部、４４…設定更新部、４５…設定書込部、４６…設定変更検出部、４７…記憶部、５０…ＡＣアダプター、５１…電源ケーブル、５２…ＲＦタグ、５２ａ…設定情報記憶領域、５２ｂ…設置場所情報記憶領域、５３…コネクター部、１００…ホスト装置。
【図１】
2017185656.tif 000003
【図２】
2017185656.tif 000004
【図３】
2017185656.tif 000005
【図４】
2017185656.tif 000006
【図５】
2017185656.tif 000007
【図６】
2017185656.tif 000008
【図７】
2017185656.tif 000009